(57)【要約】マルチ信号電力増幅器のスケジュールされたバックオフを用いて複数の無線端末への無線送信が改良される。無線端末のそれぞれに関連する無線チャネル品質が判定される。より良いチャネル品質に関連する第１の無線端末に対する第１の信号は第１の時間期間の間に電力増幅器によって増幅され、その結果として第１の合成出力信号をもたらす。より低いチャネル品質に関連する第２の無線端末に対する第２の信号は第２の時間期間の間に電力増幅器によって増幅され、その結果として第２の合成出力信号をもたらす。第１の時間期間の間の送信は、第１の合成出力信号をクリッピングする確率を下げることに関連する第１の電力レベル例えば平均電力において生じる。第２の時間期間の間に、第２の合成信号は、第１の電力レベルより高い第２の電力レベル例えば平均電力で送信され、これにより第２の端末における受信が改良される。【選択図】図７
2010520675.tif 000002
【特許請求の範囲】
【請求項１】
複数の無線端末（１４Ａ，１４Ｂ）への無線送信を制御する方法であって、
前記無線端末に関連する異なる無線チャネルのチャネル品質を判定する工程と、
事前に決定されたレベル以上のチャネル品質に関連する第１の複数の無線端末に対する第１の信号をグループ化する工程と、
前記事前に決定されたレベルより低いチャネル品質に関連する第２の複数の無線端末に対する第２の信号をグループ化する工程と、
第１の時間期間の間に電力増幅器によって増幅されるように前記第１の信号をスケジューリングする工程と、
第２の時間期間の間に前記電力増幅器によって増幅されるように前記第２の信号をスケジューリングする工程と、
前記第１の時間期間の間に、前記電力増幅器が前記第１の信号を第１の電力レベルに増幅して第１の合成出力信号を送信する工程と、
前記第２の時間期間の間に、前記電力増幅器が前記第１の信号を前記第１の電力レベルより高い第２の電力レベルに増幅して第２の合成出力信号を送信する工程と
を有する方法。
【請求項２】
前記第１の電力レベルは、平均電力レベルである前記第２の電力レベルにおいてクリッピングされる確率と比較してクリッピングされる確率を下げるバックオフされた平均電力レベルであることを特徴とする請求項１に記載の方法。
【請求項３】
前記第１の信号は前記電力増幅器に入力された複数の信号又は前記電力増幅器に入力される前に合成された複数の信号を含み、
前記第２の信号は前記電力増幅器に入力された複数の信号又は前記電力増幅器に入力される前に合成された複数の信号を含む
ことを特徴とする請求項１に記載の方法。
【請求項４】
前記事前に決定されたレベルは信号対雑音比、キャリア対干渉比、又は受信信号強度値に関連することを特徴とする請求項１に記載の方法。
【請求項５】
前記方法は無線基地局（５０）において実装され、前記事前に決定されたレベルは前記無線端末（６６）により提供された情報に基づいて決定されることを特徴とする請求項１に記載の方法。
【請求項６】
前記無線基地局は符号分割多元接続（ＣＤＭＡ）又は直交周波数分割多重（ＯＦＤＭ）を用いて前記無線端末に信号を送信することを特徴とする請求項１に記載の方法。
【請求項７】
前記第２の合成信号が前記第２の複数の無線端末に送信される第２のデータレートより高い第１のデータレートで前記第１の合成信号を前記第１の複数の無線端末に送信する工程をさらに有することを特徴とする請求項１に記載の方法。
【請求項８】
前記第２の合成信号を前記第２の複数の無線端末に送信するために用いられる第２の変調技術より高次の第１の変調技術を用いて前記第１の合成信号を前記第１の複数の無線端末に送信する工程をさらに有することを特徴とする請求項１に記載の方法。
【請求項９】
前記第２の複数の無線端末への前記第２の合成信号の送信はＭＩＭＯ通信技術を用いないものの、ＭＩＭＯ通信技術を用いて前記第１の合成信号を前記第１の複数の無線端末に送信する工程をさらに有することを特徴とする請求項１に記載の方法。
【請求項１０】
多入力・多出力（ＭＩＭＯ）技術を用いて前記第１の合成信号を前記第１の複数の無線端末に送信する工程と、
送信ダイバーシチを用いて前記第２の合成信号を前記第２の複数の無線端末に送信する工程と
をさらに有することを特徴とする請求項１に記載の方法。
【請求項１１】
複数の無線端末（１４Ａ，１４Ｂ）への無線送信を制御する装置であって、
前記無線端末に関連する異なる無線チャネルのチャネル品質を判定するチャネル品質判定回路（１３，５４）と、
前記無線端末のそれぞれに関連する無線チャネルの前記チャネル品質を受信するスケジューリング回路（１３，５２）であって、第１の時間期間の間の送信のために、事前に決定されたレベル以上のチャネル品質に関連する第１の複数の無線端末に対して第１の信号をスケジュールするとともに、第２の時間期間の間の送信のために、前記事前に決定されたレベルより低いチャネル品質に関連する第２の複数の無線端末に対して第２の信号をスケジュールするように構成されたスケジューリング回路（１３，５２）と、
前記第１の時間期間の間に、第１の合成出力信号を出力するために前記第１の信号を増幅し、前記第１の合成出力信号を第１の電力レベルで送信するとともに、前記第２の時間期間の間に、第２の合成出力信号を出力するために前記第２の信号を増幅し、前記第２の合成出力信号を第２の電力レベルで送信するように構成された電力増幅器（２２，６２）と
を備える装置。
【請求項１２】
前記第１の信号は前記電力増幅器に入力された複数の信号又は前記電力増幅器に入力される前に合成された複数の信号を含み、
前記第２の信号は前記電力増幅器に入力された複数の信号又は前記電力増幅器に入力される前に合成された複数の信号を含む
ことを特徴とする請求項１１に記載の装置。
【請求項１３】
前記第１の電力レベルは、平均電力レベルである前記第２の電力レベルにおいてクリッピングされる確率と比較してクリッピングされる確率を下げるバックオフされた平均電力レベルであることを特徴とする請求項１１に記載の装置。
【請求項１４】
前記事前に決定されたレベルは事前に決定された信号対雑音比、キャリア対干渉比、又は受信信号強度値に関連することを特徴とする請求項１１に記載の装置。
【請求項１５】
前記装置は無線基地局（５０）内に実装され、
前記事前に決定されたレベルは前記無線端末（６６）により提供された情報に基づくことを特徴とする請求項１１に記載の装置。
【請求項１６】
前記無線基地局は符号分割多元接続（ＣＤＭＡ）又は直交周波数分割多重（ＯＦＤＭ）を用いて前記無線端末に信号を送信するように構成されたことを特徴とする請求項１５に記載の装置。
【請求項１７】
前記電力増幅器は、前記第２の時間期間の間に前記第２の合成信号が送信されるように前記電力増幅器が構成された第２のデータレートより高い第１のデータレートで前記第１の時間期間の間に前記第１の合成信号を送信するように構成されたことを特徴とする請求項１１に記載の装置。
【請求項１８】
前記電力増幅器は、前記第２の合成信号を送信するための第２の変調技術より高次の第１の変調技術を用いて前記第１の時間期間の間に前記第１の合成信号を送信するように構成されたことを特徴とする請求項１１に記載の装置。
【請求項１９】
前記電力増幅器は、多入力・多出力（ＭＩＭＯ）技術を用いて前記第１の時間期間の間に前記第１の合成信号を送信するとともに、送信ダイバーシチを用いて前記第１の時間期間の間に前記第２の合成信号を送信するように構成されたことを特徴とする請求項１１に記載の装置。
【請求項２０】
前記スケジューリング回路は、
前記第１の複数の無線端末及び前記第２の複数の無線端末に対応する信号をバッファするバッファリング回路（５６）と、
前記バッファリング回路と前記電力増幅器との間に結合されたマルチプレクサ（５８）と、
事前に決定された振幅を超えるマルチプレクサの出力をクリッピングするクリッパー（６０）と、
前記バッファリング回路から前記マルチプレクサ又は前記電力増幅器へどの信号が提供されるかを制御するスケジューラ（５２）と
を含むことを特徴とする請求項１１に記載の装置。
【請求項２１】
前記マルチプレクサは前記バッファリング回路から提供される前記信号を合成して、これらを前記電力増幅器に渡すように構成されたことを特徴とする請求項２０に記載の装置。
【請求項２２】
前記マルチプレクサは前記バッファリング回路から提供された前記信号を前記電力増幅器に渡すように構成されたことを特徴とする請求項２０に記載の装置。
【発明の詳細な説明】
【技術分野】
【０００１】
本技術分野は無線通信に関し、特に無線チャネル状況に基づく無線通信を改良することに関する。
【背景技術】
【０００２】
シャノンによれば、無線送信リンク上の最大許容ビットレートＣは、Ｃ＝Ｌｏｇ２（１＋Ｓ／Ｎ）のように、信号対雑音比（ＳＮＲ）に依存する。最大許容ＳＮＲは、実際の複素送信シンボルが複素コンスタレーションにおける理想的な位置からどれくらい離れているかについての測定値であるエラー・ベクトル振幅（ＥＶＭ）によってさらに制限される。例えば図１は理想的な複素シンボル・ベクトルＶとエラー・ベクトルＥとを示す。ＥＶＭはＥ／Ｖに等しい。ＥＶＭは、フィルタ遅延、挿入損失、無線チャネル変動、及び送信信号のクリッピングのような複数の原因によって生じるかもしれない。
【０００３】
図２は、正の振幅閾値及び負の振幅閾値を超過した複数の信号ピークを有する信号の振幅を示す。これらのピークをＤＣ電圧レンジ内に適応させるため、利得又は平均電力レベルは低減されなければならない。これらのピークはピーク対平均電力比を増加させる。高いピーク対平均電力比は低い平均電力をもたらし、この結果として、無線送信機の電力増幅器についての効率性が低減される。例えば、高いピーク対平均比はより低いクリッピング確率、より良いＥＶＭであることを意味するが、低い平均出力電力となり、その結果として経路損失が増加する。より大きい線形レンジを有する電力増幅器が必要となる。さらに、より大きな最大電力は、より大きい電流、より大きい冷却器、そしてより多くのトランジスタを必要とする。よって、高いピーク対平均電力比は、これらの冷却器及びトランジスタの必要性に起因して、高いコストをもたらす。
【０００４】
高いピーク対平均電力比を低減するために、無線送信機は送信信号の最大振幅を制限するために信号のピークを「クリッピング」してもよい。よって、クリッピングは、より高い平均出力電力を容易にし、これは特に長距離において有利である。あいにくなことに、クリッピングは著しい量の帯域内雑音だけでなく、ＥＶＭを増加させる結果となる帯域外のスプリアス発射をもたらし、これはさらに例えば許容最大ビットレートがより低くなることを意味する。
【０００５】
クリッピングを回避し且つＥＶＭを低減させる一つの方法は、「バックオフ」すなわち電力増幅器の入力電力を低減することである。図３は典型的な電力増幅器の出力電力（ｍＷ単位）対入力電力（ｍＷ単位）の関係を時間の経過でグラフにしたものである。入力電力が最大電力レベルよりも低い場合に、電力増幅器は、線形領域で示されるように、入力電力の増加が出力電力の増加に比例するような線形の方法で動作する。しかし、入力電力が所定の値を超える場合に、電力増幅器は、入力電力の増加が出力電力の増加に比例しないような非線形の方法で動作する。電力増幅器が非線形の動作レンジにおいて、出力電力は理想よりも小さくなり、結果としてＥＶＭが増加する。さらに、平均電力値が高すぎると、図３に示されるように、いくつかのピークがクリッピングされ、さらなる非線形の原因となる。
【０００６】
無線基地局の送信機が符号分割多元接続（ＣＤＭＡ）を採用する場合に、送信される信号は、複数の無線端末を宛先とする複数の信号を含み、各無線端末はランダムな符号又はシーケンスで符号化される合成信号である。様々な無線端末を対象とする複数のＣＤＭＡ信号が一つの電力増幅器に入力されて増幅される際に、増幅された合成出力信号は、電力増幅器が一度に一つの信号だけを増幅する他の通信信号には一般に存在しない合成信号内のピークを含む。
【０００７】
図４は、複数の入力信号（例えば、図４に示される五つの入力信号Ａ−Ｅ）を受信して同一の時間期間の間にこれらを増幅するマルチ信号電力増幅器（ＰＡ）を説明する。上述のように、マルチ信号増幅器は、例えば各入力信号が異なるＣＤＭＡ符号を用いて符号化されるＣＤＭＡ送信において有用かもしれない。しかし、マルチ信号増幅器はＣＤＭＡの用途又は複数の無線を送信することに制限されない。例えば、直交周波数分割多重（ＯＦＤＭ）送信も、複数の信号すなわちサブキャリアを同時に増幅するために一つの電力増幅器を用いてもよい。そして、複数の信号は一つの無線端末へ送信されるかもしれない。よって、問題は、特定の種類の送信又は特定の個数の受信機ではなく、一つの電力増幅器によって同一の時間期間の間に複数の入力信号を増幅することに関する。
【０００８】
図５Ａ及び図５Ｂは、図４に示される電力増幅器（ＰＡ）を用いたマルチ信号電力増幅器に関連する信号ピーク問題を説明する。図５Ａは８個のタイムスロットにわたる５個の入力信号Ａ−Ｅのそれぞれに対する単純化された波形を説明する。図５Ｂは電力増幅器（ＰＡ）により生成された結果の合成出力信号を説明する。入力信号は電力増幅器（ＰＡ）で重ね合わされ、その結果として合成信号はタイムスロット５において最大許容電力を超えるピークを有し、よってクリッピングされなければならない。
【発明の概要】
【発明が解決しようとする課題】
【０００９】
本発明者は、既存の送信機が、マルチ信号電力増幅器に提供されるクリッピングが必要な第１の信号と、同じ時間期間の間にマルチ信号電力増幅器に提供されるクリッピングが必要でないその他の第２の信号とを区別していないことを認識した。そうではなく、これらの信号のすべてがクリッピングされ、その結果として、あいにくにも第１の信号に対してＥＶＭが増加し、その他の上述の不利益をもたらすだろう。
【課題を解決するための手段】
【００１０】
マルチ信号電力増幅器のスケジュールされたバックオフを用いて複数の無線端末への無線送信が改良される。各無線端末に関連する無線チャネル品質が判定される。より良いチャネル品質に関連する第１の無線端末に対する第１の信号は、第１の時間期間の間に電力増幅器により増幅されてその結果として第１の合成出力信号をもたらすようにスケジュールされる。より低いチャネル品質に関連する第２の無線端末に対する第２の信号は、第２の時間期間の間に電力増幅器により増幅されてその結果として第２の合成出力信号をもたらすようにスケジュールされる。第１の時間期間の間の第１の電力レベルでの送信は、第１の合成出力信号がクリッピングされる確率を下げ、ＥＶＭを低減し、オプションとしてより高いサービス品質、例えばより高いビットレート、より高次の変調、ＭＩＭＯなどをもたらす。第２の時間期間の間の第１の電力レベルより高い第２の電力レベルでの送信は、クリッピングされる確率を上げるが、より低いチャネル品質を所与としてより良い性能／サービス品質をもたらす。
【００１１】
第１の電力レベルは、第２の電力レベルにおいてクリッピングされる確率と比較してクリッピングされる確率を下げるバックオフされた電力レベルである。第１の信号と第２の信号との少なくとも何れかは電力増幅器に入力された複数の信号又は電力増幅器に入力される前に合成された複数の信号を含んでもよい。事前に決定されたレベルは信号対雑音比、キャリア対干渉比、又は受信信号強度値に関連してもよい。
【００１２】
例示の実装は無線基地局におけるものである。事前に決定されたレベルは前記無線端末により提供された情報に基づいて決定されてもよいし、基地局で判定された情報に基づいて決定されてもよい。無線基地局は例えば符号分割多元接続（ＣＤＭＡ）又は直交周波数分割多重（ＯＦＤＭ）を用いて無線端末に信号を送信するものであってもよい。
【００１３】
様々な他の適応測定値が選択的バックオフとともに取られてもよい。例えば、第２の合成信号が第２の複数の無線端末に送信される第２のデータレートより高い第１のデータレートで第１の合成信号を第１の複数の無線端末に送信されてもよい。第２の合成信号を第２の複数の無線端末に送信するために用いられる第２の変調技術より高次の第１の変調技術を用いて第１の合成信号を第１の複数の無線端末に送信してもよい。
【００１４】
別の非限定的な例示の実施形態は、多入力・多出力（ＭＩＭＯ）通信技術を用いて第１の合成信号を第１の複数の無線端末に送信する一方で、ＭＩＭＯ通信技術を用いずに第２の合成信号を第２の複数の無線端末に送信すること含む。または、第１の複数の無線端末への第１の合成信号が送信ダイバーシチを用いる一方で、第２の複数の無線端末への第２の合成信号の送信が送信ダイバーシチを用いなくてもよい。さらに、ＭＩＭＯ技術を用いて第１の合成信号が第１の複数の無線端末に送信されてもよいし、送信ダイバーシチを用いて第２の合成信号が第２の複数の無線端末に送信されてもよい。
【図面の簡単な説明】
【００１５】
【図１】エラー・ベクトル振幅（ＥＶＭ）を説明する複素平面のグラフである。
【図２】閾値を超える複数の信号ピークを有する送信無線波形を示すグラフである。
【図３】電力増幅器バックオフを説明するグラフである。
【図４】マルチ信号電力増幅器である。
【図５Ａ】図３における電力増幅がマルチ信号のそれぞれに対して出力信号を送信する場合を示すグラフである。
【図５Ｂ】一つの時間区間の間に信号クリッピングがもたらされる出力合成信号としてのマルチ信号の合計を示すグラフである。
【図６】図４に示されるような例示の電力増幅器に対するトータルＥＶＭを説明するグラフである。
【図７】スケジュールされた電力増幅器バックオフを用いる無線通信システム内の非限定的な例示の無線送信機を説明する図である。
【図８】スケジュールされた増幅器バックオフに関する非限定的な例示の手続きを説明するフローチャートである。
【図９】基地局といくつかのユーザ装置端末との間の通信を説明する図である。
【図１０】送信ダイバーシチ及びＭＩＭＯのための別の非限定的な例示の無線送信機を説明する図である。
【発明を実施するための形態】
【００１６】
以下の記載において、説明を目的とし且つ限定する目的はなく、説明される技術の理解を提供するために、特定のノード、機能エンティティ、技術、プロトコル、基準などのような特定の詳細が説明される。以下に説明される特定の詳細とは別にその他の実施形態が実施されてもよいことが当業者には明らかであろう。上述のように、本明細書で説明される技術はマルチ信号電力増幅器を用いる任意の送信機に即座に適用可能であり、いかなる特定の無線送信技術に限定されない。他の実例では、詳細な説明を不必要に目立たなくするために、よく知られた方法、装置、技術などの詳細な説明は省略される。個別の機能ブロックが図に示される。これらのブロックの機能が個別のハードウェア回路を用いて実装されてもよいし、適切にプログラムされたマイクロプロセッサ又は汎用コンピュータと連動するソフトウェア・プログラム及びデータを用いて実装されてもよいし、特定用途向け集積回路（ＡＳＩＣ）を用いて実装されてもよいし、及び／又は一つ以上のディジタル信号プロセッサ（ＤＳＰ）を用いて実装されてもよいことが当業者には明らかだろう。
【００１７】
「バックオフ」という用語は、電力増幅器の平均出力電力（または平均送信電力レベル）をその公称平均電力レベルから減ずることを表す。電力増幅器の平均電力レベルを下げること、すなわち電力増幅器をバックオフすることは、より高い品質の無線チャネルに関連する受信機についてより良いＥＶＭとより高いビットレートをもたらす。しかし、バックオフされた電力レベルはまた、外部干渉及び熱雑音により受信機が制限される、より低い品質の無線チャネルを有する受信機について効果的なビットレートを下げる。対照的に、より高い品質の無線チャネルに対して、受信機は、クリッピング、フィルタリング、及び増幅器の非線形性による内部歪みにより制限される。本発明者は、複数の信号に関連する無線チャネルの状況の品質に基づいて複数の信号についてバックオフ増幅又は非バックオフ増幅を提供するようにマルチ信号電力増幅器を選択的に制御することは、数々の効果を提供することを発見した。
【００１８】
図６は、例示的なマルチ信号電力増幅器についてのトータル・エラー・ベクトル振幅（ＥＶＭ）を説明するグラフである。図６は、Ｘ軸上にプロットされている、熱雑音及び外部干渉で除算された第１の定数信号により表される受信信号と、Ｙ軸上にプロットされている、熱雑音、外部干渉、及びＥＶＭの合計で除算された第２の定数信号により表される受信信号とに基づく、熱雑音＋外部干渉を変数とするシミュレーションである。受信信号対雑音比（Ｓ／Ｎ）は、複数の信号の増幅器の合成信号が送信される無線チャネルの品質又は状況に対応する。
【００１９】
グラフ内の細線で示される曲線は、増幅器電力レベルがバックオフされていないマルチ信号増幅器の出力に対応し、従って比較的高い平均出力電力で送信が発生する。この非限定的な例（すなわち、いかなる他の適切な値が使用されてもよい）では、−１０ｄＢのオーダの比較的悪いチャネル品質から約２０ｄＢの閾値チャネル品質までについて、信号対全歪みは比較的線形に向上する。曲線のこの部分において、悪い品質への主な寄与は熱雑音及び外部干渉を含む。受信信号対雑音比（チャネル品質）が２０ｄＢを超えた後に、細線は下側の細い破線において横ばいになり、電力増幅器がバックオフされていない場合のトータルＥＶＭに対応し、このトータルＥＶＭは幾分２０ｄＢより小さい。チャネル品質のさらなる向上が、改良された信号対全歪みや、ＥＶＭにおけるさらなる増加をもたらすことはない。受信信号対雑音比（チャネル品質）が２０ｄＢを超えた場合に、悪い品質の主な寄与は、クリッピング、フィルタリング、及び増幅器の非線形性を含む。
【００２０】
太い曲線は、送信合成信号がより低い電力レベルで送信されるようにバックオフされているマルチ信号電力増幅器の出力を表す。ここでも、（受信信号対雑音比で示される）チャネル品質が比較的悪いチャネル品質から約２０ｄＢまで増加するにつれて、信号対全歪みは線形に増加する。約２０ｄＢを上回ると、太線の曲線は約４０ｄＢで横ばいとなるまで、約２２ｄＢの信号対全歪み比において非線形且つゆっくりと増加する。
【００２１】
グラフは本発明者が発見したことを説明する。より良い信号対全歪み（性能）は、比較的悪いチャネル品質（受信信号対雑音比）から約２０ｄＢのチャネル品質（受信信号対雑音比）に対してバックオフなしに達成される（細線は太線よりも優れた信号対全歪みを有する）。この点において、より良い信号対全歪み（性能）は約２０ｄＢ以上のチャネル品質に対して増幅器バックオフ（太線）で達成される。さらに一般的には、品質が特定の閾値よりも低いチャネルに対して、より良い性能が電力増幅器をバックオフしないことによって達成され得る。一方、チャネル品質がこの特定の閾値を超える場合に、マルチ信号電力増幅器をバックオフして、より低い電力レベルで合成信号を送信することによってより良い性能が達成され得る。しかし、マルチ信号電力増幅器へ入力された各信号に対応する各チャネルの特定の品質を考慮せずに単に常にバックオフする又は常にバックオフしないようにマルチ信号電力増幅器が設定された場合に、この性能利得は実現されない。
【００２２】
別の問題は、増幅器がより高い送信電力レベルにおいてバックオフせずに動作する場合に、ＥＶＭが高くなり、その結果としてクリッピングが高い確からしさで発生する。このクリッピングは出力信号を歪ませ、その結果として信号品質が低くなる。このことは、受信側無線端末が最適よりも低い無線チャネルで信号を適応的に受信できることを保証するために、許容可能であり又は必要でさえあってもよい。一方で、マルチ信号増幅器の電力レベルをバックオフすることによって、信号コンテンツの歪みを低減するために信号クリッピングを避けることでＥＶＭを下げることはより良い。これは無線チャネル品質が良い場合に良いオプションである。
【００２３】
バックオフ動作と非バックオフ動作との両方から提供される向上した性能を取得する一つの非限定的な例示の方法は、増幅器への信号入力を二つ（以上）のグループに分割することである。第１のグループは、好ましいチャネル状況に関連する信号を含む。第２のグループはあまり好ましくないチャネル状況に関連する信号を含む。第１のグループは、増幅器がバックオフされる第１の時間期間の間に電力増幅器に提供され、第２のグループは増幅器がバックオフされない第２の時間機関の間に増幅器に提供される。このようにして、第１のグループの信号がより低いＥＶＭの利益を利用でき、且つ第２のグループの信号があまりよくないチャネル上の送信に対して余分の送信電力から利益を得られる。
【００２４】
図７は、スケジュールされたマルチ信号電力増幅器バックオフを用いる無線通信システム１０内の非限定的な例示の無線送信機１２を説明する図である。送信機１２は、送信に用いる無線チャネルについての信号品質値を受信して信号・無線処理ブロック２０に制御信号を提供するコントローラ１３を含み、信号・無線処理ブロック２０は増幅及び送信のための複数の信号をマルチ信号電力増幅器２２に提供する。複数の信号は個別に電力増幅器に提供されて、そこで合成出力信号に合成されてもよい。または複数の信号は事前に合成入力信号に合成されてもよい。マルチ信号電力増幅器２２は一つ以上のアンテナ２４を介して様々な無線ユニット１４に送信される合成出力信号２３を生成する。二つの無線ユニットＡ、Ｂがブロック１４Ａ、１４Ｂで示される。無線ユニットＡは送信機１２の比較的近くに位置し、従ってこの例では送信機１２から無線ユニットＡへの無線チャネルに関連する比較的良い信号品質を有する。
【００２５】
無線ユニットＡは、コントローラ３２Ａの制御の下で自身のアンテナ２６Ａを介して受信され送受信器３０Ａにより処理される送信機１２からの下りリンク信号品質情報を検出する信号品質検出器２８Ａを含む。このチャネル品質情報は送信機１２のコントローラ１３に送信される。対照的に、無線ユニットＢは送信機１２から比較的離れて位置し、従って、その信号品質検出器２８Ｂは送信機１２から下りリンク・チャネルを介して、より悪い品質を検出する。無線ユニットＢはまた、送受信機３０Ｂ、コントローラ３２Ｂ、及び一つ以上のアンテナ２６Ｂを有し、自身の検出されたチャネル品質情報を送信機１２に提供する。提供されたチャネル品質に基づいて、コントローラ１３は、比較的良いチャネル状況に関連する無線ユニットＡへのバックオフされた信号と、より悪いチャネル状況に関連する無線ユニットＢへのバックオフをほとんど又は全く有しない信号とをマルチ信号電力増幅器が送信する時間期間を制御する。
【００２６】
図８は、スケジュールされた増幅器バックオフに関する非限定的な例示の手続きを説明するフローチャートである。まず、送信機からの信号を受信しているだろう各受信機に関連する無線チャネルのチャネル品質が判定される（ステップＳ１）。検出されたチャネル品質に基づいて、閾値以上のチャネル品質を有する複数の（例えば二つ以上）の受信機の第１のグループが判定される。この第１のグループの送信は第１の時間期間の間にスケジュールされる（ステップＳ２）。閾値より低いチャネル品質を有する複数の無線受信機の第２のグループも形成される。受信機の第２のグループの送信は第１の時間期間とは異なる第２の時間期間の間にスケジュールされる（ステップＳ３）。マルチ信号電力増幅器は、第１の時間期間の間に、第１の合成信号すなわち第１のグループに対応する第１の信号を第１の電力レベルに増幅する（ステップＳ４）。マルチ信号電力増幅器は、第２の時間期間の間に、第２の合成信号すなわち第２のグループに対応する第２の信号を、より高い第２の電力レベルに増幅する（ステップＳ５）。
【００２７】
所望であるなら複数の付加的なオプションの適応送信動作も採用されてもよい。三つの非限定的な例が、図８のフローチャートのステップＳ６、Ｓ７、Ｓ８に併せて説明される。ステップＳ６における一つのオプションは、第１の信号／合成信号を第２の信号／合成信号よりも高いレートで送信することである。より少ないエラー符号化を可能とする無線受信機の第１の無線グループについてのより良いチャネル状況のおかげで、より高いサービス・レベルの品質にしばしば関連するより高いビットレートが可能である。また、ＣＤＭＡアプリケーションにおいて、様々な拡散係数が用いられ得るだろう。
【００２８】
ステップＳ７は、第２の信号／合成信号に対するものより高次の変調技術を用いて第１の信号／合成信号を送信するための別の取り得る動作を特定する。より高次の変調技術は、チャネル品質がより良い場合に最も適切であり、より高次の変調技術を用いることによってよい高いデータレートが達成され得るという点でより良いサービス品質を提供する。
【００２９】
ステップＳ８は第１の信号／合成信号が多入力・多出力（ＭＩＭＯ）を用いて送信されてもよく、第２の信号／合成信号が送信ダイバーシチを用いて送信されてもよいオプションのステップに関する。ＭＩＭＯ技術は通常はチャネル状況が合理的に良い品質である場合にのみ適切であるが、ＭＩＭＯは典型的に送信ダイバーシチよりも遥かに高いデータ・スループットを提供する。一方、送信ダイバーシチは、状況があまりよくない無線チャネルに対してより適切である。送信ダイバーシチは、２倍の電力が用いられるように、二つのアンテナからほぼ同じ信号が送られる。アンテナ間の間隔が与えられると同じ時間に同じ位置でフェージングの下落は生じないため、「ダイバーシチ利得」も存在する。
【００３０】
図９は基地局５０とＵＥＡ−ＵＥＥとして特定されるいくつかのユーザ装置端末６６との間の通信を説明する図である。非限定的な例示の基地局５０はチャネル品質検出器と結合したスケジューラ５２を含み、チャネル品質検出器はユーザ装置（ＵＥ）６６からチャネル品質情報を受信して、基地局５０からＵＥ６６のそれぞれへの現在の無線チャネル状況の品質測定値をスケジューラに提供する。スケジューラ５２は適応コントローラ５５に結合され、適応コントローラ５５は所定の送信動作とパラメータとの少なくとも何れかを現在のチャネル状況に適応させるために用いられてもよい。例えば、適応コントローラ５５は、送信ビットレートと、変調技術と、ＭＩＭＯ及び送信ダイバーシチのようなダイバーシチ技術とのうちの少なくとも何れかを適応させる。
【００３１】
ＵＥＡ−ＵＥＥ６６を宛先とする複数のディジタル信号は、一時的に記憶し、マルチプレクサ５８へ送出するための一つ以上のバッファ５６に提供される。バッファ５６はスケジューラ５２に結合もする。基地局のスケジューラ５２は、電力増幅器（ＰＡ）６４を介して送信のための特定のタイムスロットの間に信号Ａ−Ｅの一つ以上を選択するようにマルチプレクサ５８を制御する。この非限定的な例示の実施形態では、マルチプレクサ５８は増幅のための信号を一つの合成信号に合成する。ディジタル合成信号は、最大閾値を超えるディジタル信号の振幅を自動的にクリッピングするクリッピング・ブロック６０において処理される。クリッピングは、電力増幅器が飽和しないことを保証するディジタル機能として実装されてもよい。増幅器が飽和した場合に再び動作可能となるために多少の時間を必要とするかもしれないので、このアプローチは好ましいかもしれない。クリッピングされた信号は、クリッピングされたディジタル信号をアナログ形式に変換するディジタル・アナログ（Ｄ／Ａ）変換器６２に提供される。これに代えて、クリッピングはアナログ信号について実行されてもよい。電力増幅器６４はスケジューラ５２から制御信号を受信して、時間期間に依存して、この時間期間に対して選択された入力信号のグループとグループに関連するチャネル品質とに依存してバックオフ低電力レベルと非バックオフ高電力レベルとにいずれかに電力増幅レベルを調整する。
【００３２】
図９において、ＵＥＡ及びＵＥＢへの下りリンク無線チャネルは所定のチャネル品質を超えるチャネル品質を有する。この結果として、スケジューラ５２は第１のタイムスロットＴＳ１の間にこれら二つのＵＥＡ、ＵＥＢへの送信をスケジュールする。このタイムスロットの間に、バッファされた信号Ａ、Ｂが選択され、マルチプレクサ５８により合成され、そしてバックオフされた電力レベルに電力増幅器が増幅するために出力される。残りのＵＥＣ−ＵＥＥはより低いチャネル品質に関連し、従ってスケジューラ５２は、異なるタイムスロットＴＳ２の間にバックオフされていないより高い電力レベルに電力増幅器６４が増幅するために、バッファされた信号Ｃ、Ｄ、Ｅを選択するようにマルチプレクサ５８に制御信号を送る。二つのＵＥのグループが説明されたが、より多いグループが用いられてもよい。各グループは、様々な送信タイムスロットと、様々な増幅器バックオフすなわちＵＥの各グループに関連する様々なチャネル状況に依存する送信電力レベルとを含む。
【００３３】
上述のように、種々の適応送信動作とパラメータとの少なくとも何れかはまた、所定のタイムスロットの間に送信される特定の信号に適応されてもよい。非限定的な例は、より高い又はより低いデータレート、より高い又はより低い変調技術、ダイバーシチ技術の使用、様々なダイバーシチ技術からの選択などを含む。図１０に示される非限定的な例示の実装は、無線チャネル状況に依存して用いられる様々なダイバーシチ技術を示す。より多くの送信パスが用いられてもよい。第１の送信パスは図９に示されるものに対応し、バッファ５６、マルチプレクサ５８、クリッパー６０、ディジタル・アナログ変換器６２、電力増幅器６４、及びアンテナ６８を有する。第２の送信パスは、同様のブロックと、第２の分岐に属する各ブロックであることを示すダッシュ記号を付した参照番号を用いる。
【００３４】
それぞれの信号に関連する検出されたチャネル品質に基づいて、スケジューラ５２は、一つ又は両方の送信パスのどれを採用するかを選択するようにマルチプレクサ５８、５８´を制御する。例えば、一つ以上のアンテナ７０を含むＵＥ６６に関連するチャネル品質が比較的悪い場合に、スケジューラ５２はＵＥ６６を第１のグループにグループ化する。そして、スケジューラ５２は、同一の信号Ａが二つのアンテナを介してＵＥ６６に送信されるアンテナ６８、６８´を介する送信ダイバーシチを用いて信号Ａを含んでいる第１のグループの送信を選択するようにマルチプレクサ５８に指示する。送信ダイバーシチはチャネル品質が悪い場合に用いられてもよい。なぜなら、信号の二つのコピーを送信することは、フェージングに有効であるだけでなく、より高い確率で正確に受信されることを提供するために電力を二倍にするのに有効である。
【００３５】
これに代えて、スケジューラ５２は、良い品質の無線チャネルに関連する信号についてＭＩＭＯ技術を採用するようにマルチプレクサ５８、５８´を制御してもよい。ＭＩＭＯ送信について、信号Ａは信号Ａ´と異なる。ＢとＢ´とについても同様のことが成り立ち、以下同様である。この場合に、ダッシュなしの信号及びダッシュ付きの信号に関連するチャネル品質は別々に判定されなければならない。信号Ｂがグループ１として選択されるものの、信号Ｂ´がグループ２として選択されてもよいだろう。ＭＩＭＯはより高いビットレートを可能とするだろうが、より良い無線チャネルの必要も増加する。より低いチャネル品質を有する信号に割当てられたタイムスロットの間には、好適にはＭＩＭＯは用いられない。
【００３６】
スケジューラ５２は、現在のタイムスロットの間に送信される信号に関連する無線チャネル状況に依存して、バッファ５６、５６´とマルチプレクサ５８、５８´とへの信号を制御してもよい。このタイムスロットの間に送信される信号について無線チャネル状況が良い場合に、バッファ５６、５６´は異なる信号を記憶するように制御されて、マルチプレクサ５８、５８´はこれらの信号をＭＩＭＯタイプの送信のために選択するように制御される。これに代えて、このタイムスロットに対する無線チャネル状況がより低い場合に、スケジューラ５２は、バッファ５６、５６´が送信される同じ信号のコピーをバッファし、マルチプレクサ５８、５８´が送信ダイバーシチのために同じ時間期間の間にこれらの信号を選択することを保証する。
【００３７】
様々な実施形態が示され詳細に説明されてきたが、特許請求の範囲はいかなる特定の実施形態又は例に限定されない。いかなる特定の要素、ステップ、範囲、又は機能が、特許請求の範囲に含まれなければならないような不可欠なものであることを暗示するものとして上記の説明が読み取られるべきではない。特許される対象の範囲は特許請求の範囲のみから規定される。法的保護の範囲は許可された特許請求の範囲とその均等物に説明される用語によって規定される。当業者に知られている均等物であって上述した好適な実施形態の要素の構造的な及び機能的なすべての均等物は明確に本明細書に参照して組み込まれ、現在の特許請求の範囲によって包含されることが意図される。さらに、本特許請求の範囲に包含されるために、本発明により解決することが求められたそれぞれ及びすべての問題に装置又は方法が対処する必要はない。「ｍｅａｎｓ  ｆｏｒ」又は「ｓｔｅｐ  ｆｏｒ」という用語が用いられる場合を除いて、特許請求の範囲が３５ＵＳＣ§１１２の第６パラグラフを行使する意図はない。さらに、本明細書における実施形態、機能、要素、又はステップは、特許請求の範囲において実施形態、機能、要素、又はステップが説明されるかどうかに関わらず、公開に専念することを意図しない。
【図１】
2010520675.tif 000003
【図２】
2010520675.tif 000004
【図３】
2010520675.tif 000005
【図４】
2010520675.tif 000006
【図５Ａ】
2010520675.tif 000007
【図５Ｂ】
2010520675.tif 000008
【図６】
2010520675.tif 000009
【図７】
2010520675.tif 000010
【図８】
2010520675.tif 000011
【図９】
2010520675.tif 000012
【図１０】
2010520675.tif 000013
【手続補正書】
【提出日】平成20年12月16日(2008.12.16)
【手続補正１】
【補正対象書類名】特許請求の範囲
【補正対象項目名】全文
【補正方法】変更
【補正の内容】
【特許請求の範囲】
【請求項１】
複数の無線端末（１４Ａ，１４Ｂ）への無線送信を制御する方法であって、
前記無線端末に関連する異なる無線チャネルのチャネル品質を判定する工程と、
事前に決定されたレベル以上のチャネル品質に関連する第１の複数の無線端末に対する第１の信号をグループ化する工程と、
前記事前に決定されたレベルより低いチャネル品質に関連する第２の複数の無線端末に対する第２の信号をグループ化する工程と、
第１の時間期間の間に電力増幅器によって増幅されるように前記第１の信号をスケジューリングする工程と、
第２の時間期間の間に前記電力増幅器によって増幅されるように前記第２の信号をスケジューリングする工程と、
前記第１の時間期間の間に、前記電力増幅器が前記第１の信号を第１の電力レベルに増幅して第１の合成出力信号を送信する工程と、
前記第２の時間期間の間に、前記電力増幅器が前記第１の信号を前記第１の電力レベルより高い第２の電力レベルに増幅して第２の合成出力信号を送信する工程と
を有し、
前記第１の電力レベルは、平均電力レベルである前記第２の電力レベルにおいてクリッピングされる確率と比較してクリッピングされる確率を下げるバックオフされた平均電力レベルであることを特徴とする方法。
【請求項２】
前記第１の信号は前記電力増幅器に入力された複数の信号又は前記電力増幅器に入力される前に合成された複数の信号を含み、
前記第２の信号は前記電力増幅器に入力された複数の信号又は前記電力増幅器に入力される前に合成された複数の信号を含む
ことを特徴とする請求項１に記載の方法。
【請求項３】
前記事前に決定されたレベルは信号対雑音比、キャリア対干渉比、又は受信信号強度値に関連することを特徴とする請求項１に記載の方法。
【請求項４】
前記方法は無線基地局（５０）において実装され、前記事前に決定されたレベルは前記無線端末（６６）により提供された情報に基づいて決定されることを特徴とする請求項１に記載の方法。
【請求項５】
前記無線基地局は符号分割多元接続（ＣＤＭＡ）又は直交周波数分割多重（ＯＦＤＭ）を用いて前記無線端末に信号を送信することを特徴とする請求項４に記載の方法。
【請求項６】
前記第２の合成信号が前記第２の複数の無線端末に送信される第２のデータレートより高い第１のデータレートで前記第１の合成信号を前記第１の複数の無線端末に送信する工程をさらに有することを特徴とする請求項４に記載の方法。
【請求項７】
前記第２の合成信号を前記第２の複数の無線端末に送信するために用いられる第２の変調技術より高次の第１の変調技術を用いて前記第１の合成信号を前記第１の複数の無線端末に送信する工程をさらに有することを特徴とする請求項４に記載の方法。
【請求項８】
前記第２の複数の無線端末への前記第２の合成信号の送信はＭＩＭＯ通信技術を用いないものの、ＭＩＭＯ通信技術を用いて前記第１の合成信号を前記第１の複数の無線端末に送信する工程をさらに有することを特徴とする請求項４に記載の方法。
【請求項９】
多入力・多出力（ＭＩＭＯ）技術を用いて前記第１の合成信号を前記第１の複数の無線端末に送信する工程と、
送信ダイバーシチを用いて前記第２の合成信号を前記第２の複数の無線端末に送信する工程と
をさらに有することを特徴とする請求項４に記載の方法。
【請求項１０】
複数の無線端末（１４Ａ，１４Ｂ）への無線送信を制御する装置であって、
前記無線端末に関連する異なる無線チャネルのチャネル品質を判定するチャネル品質判定回路（１３，５４）と、
前記無線端末のそれぞれに関連する無線チャネルの前記チャネル品質を受信するスケジューリング回路（１３，５２）であって、第１の時間期間の間の送信のために、事前に決定されたレベル以上のチャネル品質に関連する第１の複数の無線端末に対して第１の信号をスケジュールするとともに、第２の時間期間の間の送信のために、前記事前に決定されたレベルより低いチャネル品質に関連する第２の複数の無線端末に対して第２の信号をスケジュールするように構成されたスケジューリング回路（１３，５２）と、
前記第１の時間期間の間に、第１の合成出力信号を出力するために前記第１の信号を増幅し、前記第１の合成出力信号を第１の電力レベルで送信するとともに、前記第２の時間期間の間に、第２の合成出力信号を出力するために前記第２の信号を増幅し、前記第２の合成出力信号を第２の電力レベルで送信するように構成された電力増幅器（２２，６２）と
を備え、
前記第１の電力レベルは、平均電力レベルである前記第２の電力レベルにおいてクリッピングされる確率と比較してクリッピングされる確率を下げるバックオフされた平均電力レベルであることを特徴とする装置。
【請求項１１】
前記第１の信号は前記電力増幅器に入力された複数の信号又は前記電力増幅器に入力される前に合成された複数の信号を含み、
前記第２の信号は前記電力増幅器に入力された複数の信号又は前記電力増幅器に入力される前に合成された複数の信号を含む
ことを特徴とする請求項１０に記載の装置。
【請求項１２】
前記事前に決定されたレベルは事前に決定された信号対雑音比、キャリア対干渉比、又は受信信号強度値に関連することを特徴とする請求項１０に記載の装置。
【請求項１３】
前記装置は無線基地局（５０）内に実装され、
前記事前に決定されたレベルは前記無線端末（６６）により提供された情報に基づくことを特徴とする請求項１０に記載の装置。
【請求項１４】
前記無線基地局は符号分割多元接続（ＣＤＭＡ）又は直交周波数分割多重（ＯＦＤＭ）を用いて前記無線端末に信号を送信するように構成されたことを特徴とする請求項１３に記載の装置。
【請求項１５】
前記電力増幅器は、前記第２の時間期間の間に前記第２の合成信号が送信されるように前記電力増幅器が構成された第２のデータレートより高い第１のデータレートで前記第１の時間期間の間に前記第１の合成信号を送信するように構成されたことを特徴とする請求項１０に記載の装置。
【請求項１６】
前記電力増幅器は、前記第２の合成信号を送信するための第２の変調技術より高次の第１の変調技術を用いて前記第１の時間期間の間に前記第１の合成信号を送信するように構成されたことを特徴とする請求項１０に記載の装置。
【請求項１７】
前記電力増幅器は、多入力・多出力（ＭＩＭＯ）技術を用いて前記第１の時間期間の間に前記第１の合成信号を送信するとともに、送信ダイバーシチを用いて前記第１の時間期間の間に前記第２の合成信号を送信するように構成されたことを特徴とする請求項１０に記載の装置。
【請求項１８】
前記スケジューリング回路は、
前記第１の複数の無線端末及び前記第２の複数の無線端末に対応する信号をバッファするバッファリング回路（５６）と、
前記バッファリング回路と前記電力増幅器との間に結合されたマルチプレクサ（５８）と、
事前に決定された振幅を超えるマルチプレクサの出力をクリッピングするクリッパー（６０）と、
前記バッファリング回路から前記マルチプレクサ又は前記電力増幅器へどの信号が提供されるかを制御するスケジューラ（５２）と
を含むことを特徴とする請求項１０に記載の装置。
【請求項１９】
前記マルチプレクサは前記バッファリング回路から提供される前記信号を合成して、これらを前記電力増幅器に渡すように構成されたことを特徴とする請求項１８に記載の装置。
【請求項２０】
前記マルチプレクサは前記バッファリング回路から提供された前記信号を前記電力増幅器に渡すように構成されたことを特徴とする請求項１８に記載の装置。
【手続補正書】
【提出日】平成22年3月10日(2010.3.10)
【手続補正１】
【補正対象書類名】特許請求の範囲
【補正対象項目名】全文
【補正方法】変更
【補正の内容】
【特許請求の範囲】
【請求項１】
複数の無線端末（１４Ａ，１４Ｂ）への無線送信を制御する方法であって、
前記複数の無線端末に関連する相異なる無線チャネルのチャネル品質を判定する工程と、
事前に決定されたレベル以上のチャネル品質に関連する第１の複数の無線端末に対する第１の信号をグループ化する工程と、
前記事前に決定されたレベルよりも低いチャネル品質に関連する第２の複数の無線端末に対する第２の信号をグループ化する工程と、
前記第１の信号が第１の期間内に電力増幅器によって増幅されるようにスケジューリングする工程と、
前記第２の信号が第２の期間内に前記電力増幅器によって増幅されるようにスケジューリングする工程と、
前記第１の期間内に、前記電力増幅器が前記第１の信号を第１の電力レベルに増幅して第１の合成出力信号を送信する工程と、
前記第２の期間内に、前記電力増幅器が前記第２の信号を前記第１の電力レベルよりも高い第２の電力レベルに増幅して第２の合成出力信号を送信する工程と
を有し、
前記第１の電力レベルは、平均電力レベルである前記第２の電力レベルにおいてクリッピングされる確率と比較してクリッピングされる確率を下げるバックオフされた平均電力レベルであることを特徴とする方法。
【請求項２】
前記第１の信号は前記電力増幅器に入力された複数の信号又は前記電力増幅器に入力される前に合成された複数の信号を含み、
前記第２の信号は前記電力増幅器に入力された複数の信号又は前記電力増幅器に入力される前に合成された複数の信号を含む
ことを特徴とする請求項１に記載の方法。
【請求項３】
前記事前に決定されたレベルは信号対雑音比、キャリア対干渉比、又は受信信号強度値に関連することを特徴とする請求項１に記載の方法。
【請求項４】
前記方法は無線基地局（５０）において実装され、前記事前に決定されたレベルは前記無線端末（６６）により提供された情報に基づいて決定されることを特徴とする請求項１に記載の方法。
【請求項５】
前記無線基地局は符号分割多元接続（ＣＤＭＡ）又は直交周波数分割多重（ＯＦＤＭ）を用いて前記無線端末に信号を送信することを特徴とする請求項４に記載の方法。
【請求項６】
前記第２の合成信号が前記第２の複数の無線端末に送信される第２のデータレートよりも高い第１のデータレートで前記第１の合成信号を前記第１の複数の無線端末に送信する工程をさらに有することを特徴とする請求項４に記載の方法。
【請求項７】
前記第２の合成信号を前記第２の複数の無線端末に送信するために用いられる第２の変調技術よりも高次の第１の変調技術を用いて前記第１の合成信号を前記第１の複数の無線端末に送信する工程をさらに有することを特徴とする請求項４に記載の方法。
【請求項８】
前記第２の複数の無線端末への前記第２の合成信号の送信はＭＩＭＯ通信技術を用いないものの、ＭＩＭＯ通信技術を用いて前記第１の合成信号を前記第１の複数の無線端末に送信する工程をさらに有することを特徴とする請求項４に記載の方法。
【請求項９】
多入力・多出力（ＭＩＭＯ）技術を用いて前記第１の合成信号を前記第１の複数の無線端末に送信する工程と、
送信ダイバーシチを用いて前記第２の合成信号を前記第２の複数の無線端末に送信する工程と
をさらに有することを特徴とする請求項４に記載の方法。
【請求項１０】
複数の無線端末（１４Ａ，１４Ｂ）への無線送信を制御する装置であって、
前記複数の無線端末に関連する相異なる無線チャネルのチャネル品質を判定するチャネル品質判定回路（１３，５４）と、
前記複数の無線端末のそれぞれに関連する無線チャネルの前記チャネル品質を受信するスケジューリング回路（１３，５２）であって、事前に決定されたレベル以上のチャネル品質に関連する第１の複数の無線端末に対する第１の信号を第１の期間内の送信にスケジュールするとともに、前記事前に決定されたレベルよりも低いチャネル品質に関連する第２の複数の無線端末に対する第２の信号を第２の期間内の送信にスケジュールするように構成されたスケジューリング回路（１３，５２）と、
前記第１の期間内に、前記第１の信号を増幅して第１の合成出力信号を出力し、前記第１の合成出力信号を第１の電力レベルで送信するとともに、前記第２の期間内に、前記第２の信号を増幅して第２の合成出力信号を出力し、前記第２の合成出力信号を第２の電力レベルで送信するように構成された電力増幅器（２２，６２）と
を備え、
前記第１の電力レベルは、平均電力レベルである前記第２の電力レベルにおいてクリッピングされる確率と比較してクリッピングされる確率を下げるバックオフされた平均電力レベルであることを特徴とする装置。
【請求項１１】
前記第１の信号は前記電力増幅器に入力された複数の信号又は前記電力増幅器に入力される前に合成された複数の信号を含み、
前記第２の信号は前記電力増幅器に入力された複数の信号又は前記電力増幅器に入力される前に合成された複数の信号を含む
ことを特徴とする請求項１０に記載の装置。
【請求項１２】
前記事前に決定されたレベルは事前に決定された信号対雑音比、キャリア対干渉比、又は受信信号強度値に関連することを特徴とする請求項１０に記載の装置。
【請求項１３】
前記装置は無線基地局（５０）内に実装され、
前記事前に決定されたレベルは前記無線端末（６６）により提供された情報に基づくことを特徴とする請求項１０に記載の装置。
【請求項１４】
前記無線基地局は符号分割多元接続（ＣＤＭＡ）又は直交周波数分割多重（ＯＦＤＭ）を用いて前記無線端末に信号を送信するように構成されたことを特徴とする請求項１３に記載の装置。
【請求項１５】
前記電力増幅器は、前記電力増幅器が前記第２の期間内に前記第２の合成信号を送信する第２のデータレートよりも高い第１のデータレートで前記第１の期間内に前記第１の合成信号を送信するように構成されたことを特徴とする請求項１０に記載の装置。
【請求項１６】
前記電力増幅器は、前記第２の合成信号を送信するための第２の変調技術よりも高次の第１の変調技術を用いて前記第１の期間内に前記第１の合成信号を送信するように構成されたことを特徴とする請求項１０に記載の装置。
【請求項１７】
前記電力増幅器は、多入力・多出力（ＭＩＭＯ）技術を用いて前記第１の期間内に前記第１の合成信号を送信するとともに、送信ダイバーシチを用いて前記第２の期間内に前記第２の合成信号を送信するように構成されたことを特徴とする請求項１０に記載の装置。
【請求項１８】
前記スケジューリング回路は、
前記第１の複数の無線端末及び前記第２の複数の無線端末に対応する信号をバッファするバッファリング回路（５６）と、
前記バッファリング回路と前記電力増幅器との間に結合されたマルチプレクサ（５８）と、
事前に決定された振幅を超えるマルチプレクサの出力をクリッピングするクリッパー（６０）と、
前記バッファリング回路から前記マルチプレクサ又は前記電力増幅器へどの信号が提供されるかを制御するスケジューラ（５２）と
を含むことを特徴とする請求項１０に記載の装置。
【請求項１９】
前記マルチプレクサは前記バッファリング回路から提供された前記信号を合成して、これらを前記電力増幅器に渡すように構成されたことを特徴とする請求項１８に記載の装置。
【請求項２０】
前記マルチプレクサは前記バッファリング回路から提供された前記信号を前記電力増幅器に渡すように構成されたことを特徴とする請求項１８に記載の装置。
【国際調査報告】
2010520675.tif 000014
2010520675.tif 000015
2010520675.tif 000016
2010520675.tif 000017